(57)【要約】【課題】熟練を要せずに簡単に、かつ、均等に防虫網を貼り付けることができ、貼り付けられた防虫網の寿命を延長することができる網戸用サッシを提供する。【解決手段】枠形成部１１と一体の防虫網貼り付け部１２と、防虫網押え部材２０と、防虫網を押えるためのゴム・プラスチックを材料とするガスケット３０とからなる網戸用サッシの素材において、上記防虫網貼り付け部１２は、断面円形の一部を開口した円形凹溝１４を長さ方向に形成し、この円形凹溝１４に隣接してガスケット３０が嵌る凹溝１５を形成し、上記凹溝１５の立ち上げ部上端に上記ガスケット３０を懸け止めるリブ１７を形成してなり、上記防虫網押え部材２０は、上記円形凹溝１４に嵌る挿入棒状部２２と、この挿入棒状部２２に続く蝶番部２５と、該蝶番部２５の下側に形成した蟻溝２６を一体に形成してなる。【選択図】図１
2006169843.tif 000002
【特許請求の範囲】
【請求項１】
枠形成部と一体の防虫網貼り付け部と、防虫網押え部材と、防虫網を押えるためのガスケットとからなる網戸用サッシの素材において、上記防虫網貼り付け部は、断面円形の一部を開口した円形凹溝を長さ方向に形成し、この円形凹溝に隣接してガスケットが嵌る凹溝を形成し、上記凹溝の立ち上り部上端に上記ガスケットを懸け止めるリブを形成したものであり、上記防虫網押え部材は、上記円形凹溝に嵌る挿入棒状部と、この挿入棒状部に続く蝶番部と、該蝶番部の下側の蟻溝を一体に形成したものであり、上記ガスケットは上記蟻溝に嵌る蟻と断面円形部とをゴム・プラスチックで一体に成形したものであることを特徴とする網戸用サッシの素材。
【請求項２】
上記円形凹溝の内面下部に小円弧状浅溝を形成し、上記挿入棒状部に小円弧状深溝を形成し、この小円弧状深溝にゴムパッキングを嵌めて防虫網押え部材の揺動を規制し、防虫網押え部材の揺動端寄りに下向きの櫛形突起を形成し、防虫網貼り付け部の先端上面に、上記櫛形突起を受け入れる細い凹溝を形成したことを特徴とする請求項１に記載の網戸用サッシの素材。
【請求項３】
網戸用サッシの内周縁に形成した防虫網貼り付け部と、上記防虫網貼り付け部の円形凹溝に起伏可能に係合した防虫網押え部材と、防虫網を押えるためのガスケットとからなる網戸用サッシにおいて、上記防虫網貼り付け部は、断面円形の一部を開口した円形凹溝に続いて、ガスケットが嵌る凹溝を形成し、上記凹溝の立ち上げ部上端に上記ガスケットを懸け止めるリブを形成したものであり、上記防虫網押え部材は、上記円形凹溝に嵌る挿入棒状部と、この挿入棒状部に続く蝶番部と、該蝶番部の下側の蟻溝を一体に形成したものであり、上記蟻溝に装着したガスケットとからなることを特徴とする網戸用サッシ。
【請求項４】
上記挿入棒状部の長さ方向に小円弧状深溝を形成し、この小円弧状深溝に丸紐状のゴムパッキングを嵌入したことを特徴とする請求項３に記載の網戸用サッシ。
【請求項５】
上記蝶番部の下面にＴ字形の蟻溝を形成し、この蟻溝に、蟻部分と中空管部分を一体に成形したガスケットを装填したものであり、上記蟻部分は硬度の高いゴム・プラスチックからなり、中空管部分は硬度の低いゴム・プラスチックからなることを特徴とする請求項３または４に記載の網戸用サッシ。
【請求項６】
上記防虫網貼り付け部の先端上面に細い凹溝を形成し、上記蝶番部の先端下面に、上記細い凹溝に嵌り込む櫛形突起を設けたことを特徴とする請求項３乃至５のいずれかに記載の網戸用サッシ。
【発明の詳細な説明】
【技術分野】
【０００１】
この発明は、防虫網の貼り付けを容易にし、きれいに貼り付けることのでき、かつ、貼り替えが容易な網戸用アルミサッシに関する。
【背景技術】
【０００２】
これまで採用されてきた網戸用アルミサッシの構造は、図４に示す如く、網戸用アルミサッシ（以下、単に「サッシ」という）Ｓの内回りの縁に防虫網４１を貼り付けるため、プラスチック紐を受け入れる凹溝４３が形成され、上記凹溝４３の入口には、一旦押し込まれたプラスチック紐４２が簡単に外れないように断面鉤状のリブ４４が形成され、さらに防虫網受け４５が形成されている。
【０００３】
上記サッシＳに防虫網４１を貼り付けるには、大きめに裁断した防虫網をサッシＳ上に広げ、上記凹溝４３に長さ方向にギザギザを形成したプラスチック紐４２を図示しない専用の「ヘラ」でもって防虫網４１とともに押し込み、最後に余分の防虫網を切り取って貼り付けが終了する。
【発明の開示】
【発明が解決しようとする課題】
【０００４】
ところが、上記防虫網の貼り付け作業は相当の熟練が必要で、未熟なものが行なうと均等に貼り付けることができず、部分的に引きつった状態となり、引きつったところでは過大な張力が加わって防虫網の寿命を短くしてしまう問題がある。
【０００５】
上記問題に鑑みこの発明は、熟練を要せずに防虫網を簡単に、かつ、均等に貼り付けることができ、貼り付けられた防虫網の寿命を延ばし、貼り替えが容易なサッシを提供することを課題とする。
【課題を解決するための手段】
【０００６】
上記課題を解決するためにこの発明は、枠形成部と一体の防虫網貼り付け部と、防虫網押え部材と、防虫網を押えるためのガスケットとからなる網戸用サッシの素材において、上記防虫網貼り付け部は、断面円形の一部を開口した円形凹溝を長さ方向に形成し、この円形凹溝に隣接してガスケットが嵌る凹溝を形成し、上記凹溝の立ち上り部上端に上記ガスケットを懸け止めるリブを形成したものであり、上記防虫網押え部材は、上記円形凹溝に嵌る挿入棒状部と、この挿入棒状部に続く蝶番部と、該蝶番部の下側の蟻溝を一体に形成したものであり、上記ガスケットは上記蟻溝に嵌る蟻と断面円形部とをゴム・プラスチックで一体に成形したものであり（請求項１）、必要ならば、上記円形凹溝の内面下部に小円弧状浅溝を形成し、上記挿入棒状部に小円弧状深溝を形成し、この小円弧状深溝にゴムパッキングを嵌めて防虫網押え部材の揺動を規制し、防虫網押え部材の揺動端寄りに下向きの櫛形突起を形成し、防虫網貼り付け部の先端上面に、上記櫛形突起を受け入れる細い凹溝を形成（請求項２）することができる。
網戸用サッシの内周縁に形成した防虫網貼り付け部と、上記防虫網貼り付け部の円形凹溝に起伏可能に係合した防虫網押え部材と、防虫網を押えるためのガスケットとからなる網戸用サッシにおいて、上記防虫網貼り付け部は、断面円形の一部を開口した円形凹溝に続いて、ガスケットが嵌る凹溝を形成し、上記凹溝の立ち上げ部上端に上記ガスケットを懸け止めるリブを形成したものであり、上記防虫網押え部材は、上記円形凹溝に嵌る挿入棒状部と、この挿入棒状部に続く蝶番部と、該蝶番部の下側の蟻溝を一体に形成したものであり、上記蟻溝に装着したガスケットとからなり（請求項３）、必要ならば、上記挿入棒状部の長さ方向に小円弧状深溝を形成し、この小円弧状深溝に丸紐状のゴムパッキングを嵌入（請求項４）することができる。また、上記蝶番部の下面にＴ字形の蟻溝を形成し、この蟻溝に、蟻部分と中空管部分を一体に成形したガスケットを装填したものであり、上記蟻部分は硬度の高いゴム・プラスチックからなり、中空管部分は硬度の低いゴム・プラスチック（請求項５）とし、上記防虫網貼り付け部の先端上面に細い凹溝を形成し、上記蝶番部の先端下面に、上記細い凹溝に嵌り込む櫛形突起を設ける（請求項６）ことができる。
【発明の効果】
【０００７】
上記の如く構成するこの発明の網戸用サッシは、熟練を要せずに簡単に、かつ、均等に防虫網を貼り付けることができ、貼り付けられた防虫網の寿命を延ばすことができ、貼り替えも簡単にできる。
【発明を実施するための最良の形態】
【０００８】
次に、この発明の実施形態を、図面を参照しながら説明する。網戸用サッシの枠部材１０は、枠形成部１１と、防虫網１３を貼り付けて支持する防虫網貼り付け部１２とを一体に成形したもので、この枠部材１０の防虫網貼り付け部１２を内向きに枠組みし、防虫網１３を貼り付けるものである。
【０００９】
上記防虫網貼り付け部１２は、枠形成部１１に続いて、断面円形の一部を開口した円形凹溝１４が長さ方向に形成され、その円形凹溝１４に続いて僅かに水平面となり、次に斜め下向き面、引き続いて水平な底面、その底面の端から垂直に立ち上げて、断面台形の長さ方向に延びる凹溝１５が形成されている。なお、上記円形凹溝１４の内面下部に小さい円弧状浅溝１６を形成している。
【００１０】
上記断面台形の凹溝１５の垂直立ち上がり面の上端には、僅かに突き出たリブ１７が形成され、このリブ１７の上面から水平になり、その途中で細い凹溝１８が形成されている。
【００１１】
上記防虫網貼り付け部１２の円形凹溝１４には防虫網押え部材２０が嵌る。この防虫網押え部材２０は、その基部が外周に小円弧状深溝２１を形成した挿入棒状部２２を形成し、その挿入棒状部２２から凸条２３が延び、その凸条２３の先の段部２４を経て蝶番部２５となり、それが上記凸条２３と同方向に延びている。
【００１２】
上記蝶番部２５の中程にＴ字形の蟻溝２６が形成され、その先に櫛形突起２７が設けられ、さらにその先端に横向き凹溝２８を形成している。なお、上記挿入棒状部２２の後方に形成した小円弧状深溝２１にはゴムパッキング２９が嵌入されている。
【００１３】
上記Ｔ字形の蟻溝２６には防虫網１３を直接押さえ付けるガスケット３０が嵌装される。このガスケット３０は、上記蟻溝２６に嵌装される蟻３１の部分は硬度が高く、それから先の中空管部分３２は硬度を低くしている。
【００１４】
具体的には、蟻３１の部分には、硬度の高い塩化ビニル樹脂組成物または分子量の大きい合成ゴムを採用し、中空管部分３２には、硬度の低い塩化ビニル樹脂組成物または分子量の小さい合成ゴムを採用し、上記樹脂組成物または合成ゴムを別々の混練り押出し成形機に供給し、共通の押出しヘッドで同時押出し成形される。なお、上記ガスケット３０と防虫網押え部材２０は、適当な長さに分割しておくと、後に防虫網１３を貼り付けるとき引きつりを起こさないようにして綺麗に貼り付けることができる。
【００１５】
以上説明した網戸用サッシＳに防虫網１３を貼り付けるときは、防虫網１３を大きめに裁断して組み立てられた網戸用サッシＳの上に置き、先ず、四隅の防虫網押え部材２０を順に倒して防虫網１３を押さえ込み、次に、残る防虫網押え部材２０を倒して防虫網１３を押え込んで貼り付けは完了する。
【００１６】
上記防虫網貼り付け作業において、防虫網押え部材２０を倒すときにガスケット３０は防虫網１３を引っ張るように作用し、櫛形突起２７は防虫網１３の網目に食い込んで強固に貼り付け状態を維持する。
【００１７】
なお、防虫網押え部材２０の先端に設けた横向きの凹溝２８は、防虫網１３を張り替えるときに、ドライバーの刃等（ヘラ状のもの）を差込んで起こすためのものである。
【産業上の利用可能性】
【００１８】
以上の如く構成する網戸用サッシによれば、熟練を要せず、誰にでも簡単に防虫網をサッシに貼り付けることができ、また、防虫網を貼り付けるとき均一に緊張できるので防虫網の寿命が大幅に延長され、貼り替えを含めて綺麗に貼り付けることができる。従って、需要家において、信頼性が高まり産業上の利用範囲が広がるものと考えられる。
【図面の簡単な説明】
【００１９】
【図１】防虫網を貼り付ける手順を示す図で（ａ）は防虫網をサッシに載せた状態、（ｂ）は防虫網押え部材を倒しつつある状態、（ｃ）は貼り付けが終了した状態を示し、（ｄ）は（ｂ）の部分拡大図
【図２】防虫網を張り終わった状態の正面図
【図３】分割した防虫網押え部材の部分拡大斜視図
【図４】従来の網戸用サッシの断面図
【符号の説明】
【００２０】
１０  網戸用サッシの枠部材
１１  枠形成部
１２  防虫網貼り付け部
１３  防虫網
１４  円形凹溝
１５  凹溝
１６  円弧状浅溝
１７  リブ
１８  細い凹溝
２０  防虫網押え部材
２１  小円弧状深溝
２２  挿入棒状部
２３  凸条
２４  段部
２５  蝶番部
２６  蟻溝
２７  櫛形突起
２８  横向き凹溝
２９  ゴムパッキング
３０  ガスケット
３１  蟻
３２  中空管部分
【図１】
2006169843.tif 000003
【図２】
2006169843.tif 000004
【図３】
2006169843.tif 000005
【図４】
2006169843.tif 000006